(57)【特許請求の範囲】
【請求項１】
透光性を有するシートと、該シートの一面に設けた接着部とを備え、該接着部によって前記シートをディスプレイに接着させてディスプレイを保護する保護体において、
前記シートの周縁部分に、多数の前記接着部を互いに離隔させて配置してあり、
前記シートの前記一面に、イソブチルアルコール２５〜３０重量パーセント、メチルイソブチルケトン２０〜２５重量パーセント、トルエン０．１〜１重量パーセント及び多官能アクリレート３０〜４０重量パーセントを含む混合物によって構成され、ニュートンリングの発生を防止する粗面部が設けてあり、
前記粗面部は、多官能アクリレートによって形成され、ディスプレイに対向する粗面を有すること
を特徴とする保護体。
【請求項２】
前記シートは前記接着部を介してディスプレイに着脱可能に設けられるようにしてあることを特徴とする請求項１に記載の保護体。
【請求項３】
前記シートの周縁部分に装飾部が設けてあること
を特徴とする請求項１又は２に記載の保護体。
【請求項４】
前記粗面部は、前記一面における少なくとも中央部分に配置してあること
を特徴とする請求項１から３のいずれか一つに記載の保護体。
【請求項５】
前記シートの他面側に汚染を防止する汚染防止層を設けてあることを特徴とする請求項１から４のいずれか一つに記載の保護体。
【請求項６】
前記シートの他面側に抗菌又は消臭性材料を有する層を設けてあることを特徴とする請求項１から４のいずれか一つに記載の保護体。
【請求項７】
前記シートの他面側に傷を修復する自己修復層を設けてあることを特徴とする請求項１から４のいずれか一つに記載の保護体。
【請求項８】
前記シートの一面側又は他面側に蓄光性材料を有する蓄光層を設けてあることを特徴とする請求項１から７のいずれか一つに記載の保護体。
【請求項９】
前記シートの一面側又は他面側にハーフミラー層を設けてあることを特徴とする請求項１から８のいずれか一つに記載の保護体。
【請求項１０】
前記シートの他面側に汚染を防止する汚染防止層を設けてあり、
表面の鉛筆硬度はＨ以上であり、透過率は８０％以上であり、曇り度は８．５％以下であることを特徴とする請求項１から４のいずれか一つに記載の保護体。
【請求項１１】
前記シートは、所定角度以下の入射角で進入した光が透過するようにしてあることを特徴とする請求項１から１０のいずれか一つに記載の保護体。
【請求項１２】
前記シートは、切欠又は穴を有することを特徴とする請求項１から１１のいずれか一つに記載の保護体。
【請求項１３】
ドット状をなす多数の接着部からなる環状パターンを一面の周縁部分に印刷した透光性のシートを有し、前記接着部によって前記シートをディスプレイに接着して対象物を保護する保護体の製造方法であって、
イソブチルアルコール２５〜３０重量パーセント、メチルイソブチルケトン２０〜２５重量パーセント、トルエン０．１〜１重量パーセント及び多官能アクリレート３０〜４０重量パーセントを含む混合物によって構成され、多官能アクリレートによって形成され、ディスプレイに対向する粗面を有し、ニュートンリングの発生を防止する粗面部を透光性を有するシート原反の一面に形成する工程と、
前記粗面部を形成した後、前記シート原反の前記一面に、複数の前記環状パターンを接着剤を用いてドットで印刷する印刷工程と、
前記環状パターンに合わせて前記シート原反を切断し、前記シートを有する複数の前記保護体を製造する切断工程と
を備えることを特徴とする保護体の製造方法。
【請求項１４】
前記シート原反に装飾部を形成する工程を更に備えることを特徴とする請求項１３に記載の保護体の製造方法。
【請求項１５】
汚染を防止する汚染防止層を前記シート原反の他面側に形成する工程を備えることを特徴とする請求項１３又は１４のいずれか一つに記載の保護体の製造方法。
【請求項１６】
抗菌又は消臭性材料を有する層を前記シート原反の他面側に形成する工程を備えることを特徴とする請求項１３又は１４のいずれか一つに記載の保護体の製造方法。
【請求項１７】
傷を修復する自己修復層を前記シート原反の他面側に形成する工程を備えることを特徴とする請求項１３又は１４のいずれか一つに記載の保護体の製造方法。
【請求項１８】
蓄光性材料を有する蓄光層を前記シート原反の一面側又は他面側に形成する工程を備えることを特徴とする請求項１３から１７のいずれか一つに記載の保護体の製造方法。
【請求項１９】
ハーフミラー層を前記シート原反の一面側又は他面側に形成する工程を備えることを特徴とする請求項１３から１８のいずれか一つに記載の保護体の製造方法。
【発明の詳細な説明】
【技術分野】
【０００１】
本発明は、情報を表示する表示部に貼付し、表示部を保護する保護体及び保護体の製造方法に関する。
【背景技術】
【０００２】
タッチパネルを介して操作され、電子メールの送受信、インターネット接続及びアプリケーションソフトウェアの実行が可能な多機能型携帯電話（いわゆるスマートフォン）並びにタッチパネルを介して操作されるタブレット型端末は、必要な情報を迅速に取得し、また送信可能であることから一般に広く普及している。
【０００３】
スマートフォン及びタブレット型端末は、ユーザの視認性を向上させるべく、正面部分の大半をタッチパネルを有するフラットディスプレイにて構成しており、操作のためにユーザがディスプレイに触れた場合に、フラットディスプレイが損傷するおそれがある。そのためフラットディスプレイを保護する透過性の保護シートが従来提案されており、該保護シートをフラットディスプレイに貼付することによって、フラットディスプレイを損傷から保護することができる（例えば特許文献１参照）。
【先行技術文献】
【特許文献】
【０００４】
【特許文献１】特開２００１−１１７８８０号公報
【発明の概要】
【発明が解決しようとする課題】
【０００５】
特許文献１に記載の保護シートは、その一面全体に粘着層を備え、該粘着層をフラットディスプレイに密着させて保護シートを貼付する。ユーザが保護シートをフラットディスプレイに貼付した場合、保護シートとフラットディスプレイとの間に空気が侵入して粘着層がフラットディスプレイに密着しない部分が生じ、該部分に空気が閉じこめられることがある（以下、空気が閉じこめられた部分を気泡という）。
【０００６】
気泡は斑に発生することが多く、視認性及び装飾性を悪化させる。特にスマートフォン及びタブレット型端末は、操作ボタンにて操作を行う従来の携帯電話に比べてフラットディスプレイの面積が大きいため、空気が侵入しやすく、それ故、気泡が発生しやすい。また発生した気泡を除去するためには、指で押圧して気泡をフラットディスプレイの端まで移動させるか又は保護シートを貼付し直す必要があり、スマートフォン及びタブレット型端末のフラットディスプレイに気泡がない状態で保護シートを貼付することは極めて難しい。
【０００７】
本発明は斯かる事情に鑑みてなされたものであり、気泡を発生させることなく対象物に貼付することができ、対象物の視認性及び装飾性を損なわない保護体及び保護体の製造方法を提供することを目的とする。
【課題を解決するための手段】
【０００８】
本発明に係る保護体は、透光性を有するシートと、該シートの一面に設けた接着部とを備え、該接着部によって前記シートをディスプレイに接着させてディスプレイを保護する保護体において、前記シートの周縁部分に、多数の前記接着部を互いに離隔させて配置してあり、前記シートの前記一面に、イソブチルアルコール２５〜３０重量パーセント、メチルイソブチルケトン２０〜２５重量パーセント、トルエン０．１〜１重量パーセント及び多官能アクリレート３０〜４０重量パーセントを含む混合物によって構成され、ニュートンリングの発生を防止する粗面部が設けてあり、前記粗面部は、多官能アクリレートによって形成され、ディスプレイに対向する粗面を有することを特徴とする。
【０００９】
本発明においては、シートの周縁部分に接着部を複数設けて、該接着部とディスプレイとを接着させる。例えば接着部とディスプレイの周囲とを接着させる。接着部などの厚みによって、シートの中央部分とディスプレイとは適長離隔する。複数の接着部は互いに離隔しているので、接着部の間を空気が通流し、気泡は発生しない。
また粗面部をシートの一面に設けることによって、シートの他面に外力が作用し、前記一面とディスプレイとの間隙が狭まったとしても、粗面部から突出した部分によって前記一面とディスプレイとの間に、光の波長よりも充分に大きな隙間が確保され、ニュートンリングは発生しない。
【００１０】
本発明に係る保護体は、前記シートは前記接着部を介してディスプレイに着脱可能に設けられるようにしてあることを特徴とする。
【００１１】
本発明においては、ディスプレイの周囲に接着した接着部は、必要に応じて剥離される。
【００１２】
本発明に係る保護体は、前記シートの周縁部分に装飾部が設けてあることを特徴とする。
【００１３】
本発明においては、シートの一面における周縁部分に装飾部を設けることによって、ディスプレイの装飾性が向上する。また接着部とシートとの間に装飾部を設けた場合には、シートの他面側から接着部が視認されることはない。
【００１６】
本発明に係る保護体は、前記粗面部は、前記一面における少なくとも中央部分に配置してあることを特徴とする。
【００１７】
本発明においては、シートの一面の中央部分に粗面部を設けている。前記中央部分の縦寸法及び横寸法をディスプレイに対応させることによって、ディスプレイのいずれの部分をユーザが触っても、ニュートンリングは発生しない。
【００１８】
本発明に係る保護体は、前記シートの他面側に汚染を防止する汚染防止層を設けてあることを特徴とする。
【００１９】
本発明においては、汚染防止層をシートの他面（正面）に形成することで、シート正面への油分及び水分等による汚染を防止する。ユーザがシート正面を指で触れた場合でも、油分及び水分等による指紋が発生し難い。
【００２０】
本発明に係る保護体は、前記シートの他面側に抗菌又は消臭性材料を有する層を設けてあることを特徴とする。
【００２１】
本発明においては、抗菌又は消臭性材料を有する層をシートの正面に形成し、抗菌及び消臭機能を実現する。
【００２２】
本発明に係る保護体は、前記シートの他面側に傷を修復する自己修復層を設けてあることを特徴とする。
【００２３】
本発明においては、シートの正面に自己修復層を形成し、シート正面を物体が引っ掻いて傷が発生した場合でも、経時的に傷を消滅させる。
【００２４】
本発明に係る保護体は、前記シートの一面側又は他面側に蓄光性材料を有する蓄光層を設けてあることを特徴とする。
【００２５】
本発明においては、蓄光層をシートに設けたので、保護体を明るい場所から暗い場所に移動させた場合、保護体は光る。
【００２６】
本発明に係る保護体は、前記シートの一面側又は他面側にハーフミラー層を設けてあることを特徴とする。
【００２７】
本発明においては、ハーフミラー層をシートに設け、保護体の保護対象（例えばディスプレイ）からの光を透過させる。保護体を付したディスプレイが点灯している場合、ディスプレイに表示された画像をユーザは視認する。ディスプレイが消灯している場合、ハーフミラー層はディスプレイと反対側からの光を反射するので、保護体を付したディスプレイをユーザは鏡として使用可能である。
【００２８】
本発明に係る保護体は、前記シートの他面側に汚染を防止する汚染防止層を設けてあり、表面の鉛筆硬度はＨ以上であり、透過率は８０％以上であり、曇り度は８．５％以下であることを特徴とする。
【００２９】
本発明においては、保護体の透過性、ニュートンリング防止機能及び強度を考慮して、鉛筆硬度、透過率及び曇り度を設定し、視認性の維持及び向上を図る。
【００３０】
本発明に係る保護体は、前記シートは、所定角度以下の入射角で進入した光が透過するようにしてあることを特徴とする。
【００３１】
本発明においては、所定角度以下の入射角で進入した光が透過するようにシートを構成しており、ユーザがディスプレイ上に保護体を配置した場合に、ユーザの隣にいる第三者はディスプレイを視認することができない。
【００３２】
本発明に係る保護体は、前記シートは、切欠又は穴を有することを特徴とする。
【００３３】
本発明においては、タブレット型端末の操作部又はスマートフォンの操作部及びスピーカなどに対応する位置に切欠又は穴を設けることによって、タブレット型端末又はスマートフォンのディスプレイ上に保護体を配置しても、タブレット型端末及びスマートフォンの機能は損なわれない。
【００３４】
本発明に係る保護体の製造方法は、ドット状をなす多数の接着部からなる環状パターンを一面の周縁部分に印刷した透光性のシートを有し、前記接着部によって前記シートをディスプレイに接着して対象物を保護する保護体の製造方法であって、イソブチルアルコール２５〜３０重量パーセント、メチルイソブチルケトン２０〜２５重量パーセント、トルエン０．１〜１重量パーセント及び多官能アクリレート３０〜４０重量パーセントを含む混合物によって構成され、多官能アクリレートによって形成され、ディスプレイに対向する粗面を有し、ニュートンリングの発生を防止する粗面部を透光性を有するシート原反の一面に形成する工程と、前記粗面部を形成した後、前記シート原反の前記一面に、複数の前記環状パターンを接着剤を用いてドットで印刷する印刷工程と、前記環状パターンに合わせて前記シート原反を切断し、前記シートを有する複数の前記保護体を製造する切断工程とを備えることを特徴とする。
【００３５】
本発明においては、ディスプレイ上において気泡が発生することを防止する保護体を製造する。
また操作のために押圧しても、ニュートンリングが発生しない保護体を製造する。
【００３６】
本発明に係る保護体の製造方法は、前記シート原反に装飾部を形成する工程を更に備えることを特徴とする。
【００３７】
本発明においては、ディスプレイに装飾を施す保護体を製造する。
【００４０】
本発明に係る保護体の製造方法は、汚染を防止する汚染防止層を前記シート原反の他面側に形成する工程を備えることを特徴とする。
【００４１】
本発明においては、汚染を防止する汚染防止層をシートの他面（正面）に形成する。
【００４２】
本発明に係る保護体の製造方法は、抗菌又は消臭性材料を有する層を前記シート原反の他面側に形成する工程を備えることを特徴とする。
【００４３】
本発明においては、抗菌又は消臭性材料を有する層をシート原反の他面（正面）側に形成する。
【００４４】
本発明に係る保護体の製造方法は、傷を修復する自己修復層を前記シート原反の他面側に形成する工程を備えることを特徴とする。
【００４５】
本発明においては、弾性係数が高く、傷を修復する自己修復層をシート原反の他面（正面）側に形成する。
【００４６】
本発明に係る保護体の製造方法は、蓄光性材料を有する蓄光層を前記シート原反の一面側又は他面側に形成する工程を備えることを特徴とする。
【００４７】
本発明においては、蓄光性材料を有する蓄光層をシート原反に形成する。
【００４８】
本発明に係る保護体の製造方法は、ハーフミラー層を前記シート原反の一面側又は他面側に形成する工程を備えることを特徴とする。
【００４９】
本発明においては、保護対象側からの光を透過し、保護対象と反対側からの光を反射するハーフミラー層をシート原反に形成する。
【発明の効果】
【００５０】
本発明に係る保護体にあっては、シートの周縁部分に接着部を複数設けて、該接着部とディスプレイの周囲とを接着させているので、接着部の厚みによって、シートの中央部分とディスプレイとは適長離隔する。複数の接着部は互いに離隔しており、接着部の間を空気が通流し、気泡は発生しない。そのため、ディスプレイの視認性及び装飾性は損なわれない。
【００５１】
本発明に係る保護体にあっては、ユーザはディスプレイの周囲に接着した接着部を必要に応じて剥離し、容易に保護体を貼付し直すことができる。
【００５２】
本発明に係る保護体にあっては、シートの一面における周縁部分に装飾部を設けることによって、ディスプレイの装飾性を向上させることができる。またシートの一面と接着部との間に装飾部が存在するため、シートの他面側から接着部は視認されない。
【００５３】
本発明に係る保護体にあっては、粗面部をシートの一面に設けることによって、シートの他面に外力が作用し、前記一面とディスプレイとの間隙が狭まったとしても、粗面部から突出した部分によって前記一面とディスプレイとの間に、光の波長よりも充分に大きな隙間が確保され、ニュートンリングは発生せず、ニュートンリングによってディスプレイの視認性が妨げられることを回避することができる。
【００５４】
本発明に係る保護体にあっては、シートの一面の中央部分に粗面部を設けており、ディスプレイにシートの縦寸法及び横寸法を対応させることによって、ディスプレイのいずれの部分をユーザが触っても、ニュートンリングは発生しない。ユーザは、ディスプレイに表示される映像を確実に視認することができ、且つディスプレイに表示されたＧＵＩ(Graphical User Interface)を押圧しても、ニュートンリングによる視認性の悪化を招来しない。
【００５５】
本発明に係る保護体にあっては、汚染防止層をシートの他面（正面）に形成することで、油分及び水分等によるシート正面の汚染を防止する。保護体をディスプレイに貼付した場合、ユーザがシート正面を指で触れても、油分及び水分等による指紋が発生し難いので、ディスプレイの視認性を維持することができる。またディスプレイの意匠性及び清潔感を保つことができる。
【００５６】
本発明に係る保護体にあっては、抗菌又は消臭性材料を有する層を備えるので、抗菌性及び消臭性に優れ、保護体を清潔に保つことができる。そのためユーザの衛生向上を図ることができる。
【００５７】
本発明に係る保護体にあっては、シートの正面に、弾性係数の高い自己修復層を形成することで、シート正面を物体が引っ掻いて傷が発生した場合でも、経時的に傷は消滅する。保護体を、例えばディスプレイに貼付した場合、傷によるディスプレイの視認性の低下を防止することができる。
【００５８】
本発明に係る保護体にあっては、蓄光層をシートに設けたので、保護体が明るい場所から暗い場所に移動した場合、保護体は蛍光を発する。保護体をディスプレイに貼付した場合、ディスプレイを明るい場所から暗い場所に移動させても、ユーザはディスプレイの位置を容易に確認することができる。またディスプレイの意匠性を向上させることができる。
【００５９】
本発明に係る保護体にあっては、保護体を例えばディスプレイに貼付している場合、ハーフミラー層はディスプレイ側からの光を透過するので、ディスプレイが点灯している間、ディスプレイに表示された画像をユーザは視認することができる。ディスプレイが消灯している間、ハーフミラー層はディスプレイと反対側からの光を反射するので、保護体を付したディスプレイをユーザは鏡として使用することができる。
【００６０】
本発明に係る保護体にあっては、鉛筆硬度をＨ以上、保護体の透過率を８０％以上、保護体の曇り度を８．５％以下に設定することで、透過性、ニュートンリング防止機能及び強度の各機能を損なうことなく、バランスよく発揮させて、視認性の維持及び向上を図ることができる。
【００６１】
本発明に係る保護体にあっては、シートに垂直な方向に対して所定範囲の角度で進入した光が透過するようにシートを構成しており、ユーザがディスプレイ上に保護体を配置した場合に、ユーザの隣にいる第三者はディスプレイを視認することができない。そのためユーザの個人情報を保護することができる。
【００６２】
本発明に係る保護体にあっては、タブレット型端末の操作部又はスマートフォンの操作部及びスピーカなどに対応する位置に切欠又は穴を設けることによって、タブレット型端末又はスマートフォンのディスプレイ上に保護体を配置しても、タブレット型端末及びスマートフォンの機能は損なわれず、ユーザはタブレット型端末及びスマートフォンを快適に使用でき、且つディスプレイを保護することができる。
【００６３】
本発明に係る保護体の製造方法にあっては、上述した保護体を製造することができる。
【図面の簡単な説明】
【００６４】
【図１】実施の形態１に係る保護体を略示する正面図である。
【図２】保護体を略示する背面図である。
【図３】図１のＩＩＩ−ＩＩＩ線における断面図である。
【図４】保護体の接着部付近を示す拡大図である。
【図５】保護体とタブレット型端末とを示す分解斜視図である。
【図６】保護体をフラットディスプレイ上に配置したタブレット型端末を示す斜視図である。
【図７】保護体の製造工程を示す工程図である。
【図８】シート原反及びシートの背面に印刷されるパターンを示す背面図である。
【図９】実施の形態１の変形例に係る保護体とスマートフォンとを示す分解斜視図である。
【図１０】保護体をフラットディスプレイ上に配置したスマートフォンを示す斜視図である。
【図１１】保護体の接着部付近を示す拡大図である。
【図１２】実施の形態２に係る保護体を示す略示断面図である。
【図１３】保護体の製造工程を示す工程図である。
【図１４】実施の形態３に係る保護体の製造工程を示す工程図である。
【図１５】実施の形態４に係る保護体の製造工程を示す工程図である。
【図１６】実施の形態５に係る保護体の製造工程を示す工程図である。
【図１７】実施の形態６に係る保護体の製造工程を示す工程図である。
【発明を実施するための形態】
【００６５】
（実施の形態１）
以下本発明を実施の形態１に係る保護体を示す図面に基づいて詳述する。図１は保護体を略示する正面図、図２は保護体を略示する背面図、図３は図１のＩＩＩ−ＩＩＩ線における断面図、図４は保護体の接着部付近を示す拡大図である。
【００６６】
図において１は、ＰＥＴ(Polyethylene Terephthalate)からなり、タブレット型端末１０の正面に配置される無色透明なシート１である。なおシート１は透過性を有していればよく、着色されていてもよい。シート１はタブレット型端末１０の正面の形状に対応した形状をなす。シート１は縦長の略矩形をなし、シート１の四隅は円弧状をなす。シート１の縦寸法は、例えば約２３．６ｃｍであり、シート１の横寸法は、例えば約１８．３ｃｍである。シート１の短辺に、切欠１ａが形成してあり、該切欠１ａはタブレット型端末１０の操作部１１に整合する位置に配してある。切欠１ａは、円弧部分がシート１の中央に向けて突出した半楕円形をなす。
【００６７】
なおシート１は、所定角度以下の入射角で進入した光が透過するシート、いわゆるブラインドシートであってもよい。ブラインドシートは線状の透明部分及び不透明縞部分を備える。透明部分及び不透明部分は、縞状をなすように交互に配置してある。透明部分は、両側を不透明部分に挟まれており、透明部分に所定角度よりも大きい入射角で進入した光は、不透明部分によって進路を遮られる。そのため、所定角度以下の入射角で進入した光のみがブラインドを透過する。
【００６８】
ブラインドシートは、例えばシート１にプラス４５度からマイナス４５度の範囲の入射角で進入した光のみが透過する。そのためブラインドシートをフラットディスプレイ１１上に配置した場合、ユーザの隣に位置する第三者は、シート１を介してフラットディスプレイ１１に表示された映像を視認することはできない。なお光が透過する入射角の限界値は、４５度に限定されず、３０度その他の角度であってもよいことは言うまでもない。
【００６９】
図２に示すように、シート１の背面における周縁部全体に装飾部２が設けてある。該装飾部２は所定幅の枠状をなす。装飾部２には例えば、着色（白色又は黒色など）又は図柄が施してある。なお装飾部２は、装飾部２が配置された箇所を隠蔽し、視認不可能にするという実用的な用途も有する。
【００７０】
図２及び図３に示すように、装飾部２の上には、円形をなす多数の接着部３、３、・・・、３が所定間隔を空けて千鳥配置してある。図４に示すように、接着部３の直径は略２ｍｍであり、接着部３同士の縦間距離及び横間距離は略１ｍｍである。接着部３の厚みは、１５〜２０ミクロンである。図２及び図３に示すように、シート１の背面側にシート１と略同寸のフィルム４が設けてあり、該フィルム４は接着部３に当接している。フィルム４は、接着部３に塵埃が付着することを防止しており、接着部３から剥離することができる。
【００７１】
接着部３を構成する主な成分の割合は、ビニルエーテル樹脂４０〜４４重量パーセント、アクリレート組成物５０〜５４重量パーセント、光重合開始剤２〜３重量パーセント及び助剤２〜３重量パーセントである。フィルム４を剥離して接着部３をフラットディスプレイ１１の周囲に接着させることによって、保護体はフラットディスプレイ１１上に配置される。接着部３は、自然に剥離せず且つユーザがフラットディスプレイ１１の表面からシート１を指で剥離することができる接着力を有する。剥離後も接着部３の接着力は低下せず、ユーザは必要に応じて保護体を貼り直すことができる。フラットディスプレイ１１の表面は、アクリル板又はガラス板などの透光性部材からなる。
【００７２】
図５は保護体とタブレット型端末１０とを示す分解斜視図、図６は保護体をフラットディスプレイ上に配置したタブレット型端末１０を示す斜視図である。
タブレット型端末１０は、平坦な正面を有するフラットディスプレイ１１を有する。保護体をフラットディスプレイ１１上に配置する場合、図５に示すように、ユーザはフィルム４を剥離した後に、保護体の背面をタブレット型端末１０の正面に対向させる。装飾部２の寸法は、タブレット型端末１０のフラットディスプレイ１１の周囲にある枠部分と略同寸である。ユーザは、装飾部２及び前記枠部分における縦方向及び横方向の位置が整合するように、位置合わせする。
【００７３】
そして保護体をフラットディスプレイ１１上に配置し、装飾部２を押圧して接着部３をフラットディスプレイ１１の周囲にある枠部分に接着させる。図６に示すように、装飾部２よりも内側に位置するシート１の中央部分がフラットディスプレイ１１に対向する。なおシート１の中央部分には接着部３は設けられておらず、ユーザはシート１を介してフラットディスプレイ１１に表示された映像全体を視認することができる。
【００７４】
装飾部２及び接着部３によってシート１とフラットディスプレイ１１との間に適当な間隙が設けられ、また多数の接着部３、３、・・・、３の間も離隔していることから、シート１とフラットディスプレイ１１との間及び接着部３、３、・・・、３の間を空気が通流することができ、フラットディスプレイ１１上に気泡が発生することはない。そのためユーザはシート１を介してフラットディスプレイ１１を明確に視認することができる。また切欠１ａの内側に操作部１２が位置し、ユーザは操作部１２を操作することができる。
【００７５】
次に保護体の製造工程について説明する。図７は保護体の製造工程を示す工程図、図８はシート原反及びシートの背面に印刷されるパターンを示す背面図である。
図７Ａに示すように、まず大型のシート原反１００を設置する。次に図７Ｂ及び図８Ａに示すように、シート原反１００の背面におけるフラットディスプレイ１１の周囲にある枠部分に対応する位置に装飾部２が格子状に印刷される。そして図７Ｃ及び図８Ａに示すように、接着剤を用いて装飾部２上に複数の接着部３をシルクスクリーン印刷によって千鳥配置し、複数の接着部３、３、・・・、３によるドットパターンを形成する。該ドットパターンは、格子状、換言すれば複数の環状パターンを連設した態様をなす。なおドットパターンは、複数の環状パターンを備えた態様であればよく、連設していなくてもよい。装飾部２上に印刷された接着部３は、装飾部２に固着する。そして図７Ｄに示すように、シート原反１００の背面にフィルム４を設ける。
【００７６】
そして図７Ｅ及び図８Ｂに示すように、ドットパターンに合わせてシート原反１００を打ち抜いて切断し、タブレット型端末１０の縦寸法及び横寸法に対応した寸法を有し、シート１の一面の周縁部分に複数の接着部３を設けた保護体を複数製造する。シート原反１００を打ち抜くときに、切欠１ａも形成される。なお切欠１ａの形成後にシート原反１００を分割してもよく、シート原反１００の分割後に切欠１ａを形成してもよい。
【００７７】
なおシート原反１００の正面において、フラットディスプレイ１１の周囲にある枠部分に対応する位置に装飾部２を印刷してもよく、シート１の正面に装飾部２を印刷してもよい。シート原反１００又はシート１の正面に装飾部２を印刷する工程は、上述した一連の工程において、保護体を製造するのに適した順番にて実行されればよい。例えば一連の工程の最後に実行されてもよい。
【００７８】
次に実施の形態１の変形例に係る保護体について説明する。変形例に係る保護体は、スマートフォン２０のフラットディスプレイ２１を保護するために使用される。図９は、保護体とスマートフォン２０とを示す分解斜視図、図１０は、保護体をフラットディスプレイ２１上に配置したスマートフォン２０を示す斜視図、図１１は保護体の接着部３付近を示す拡大図である。
図９に示すように、保護体は略矩形のシート１を備えている。シート１は、スマートフォン２０の正面の形状に対応した形状をなす。シート１の縦寸法は、例えば約１１．５ｃｍであり、シート１の横寸法は、例えば約５．８ｃｍである。シート１の一方の短辺にスマートフォン２０の操作部２２に対応した切欠１ａが設けてある。該切欠１ａは、円弧部分がシート１の中央に向けて突出した半楕円形をなす。シート１の他方の短辺には、スマートフォン２０のスピーカ２３に対応した切欠１ｂが設けてある。該切欠１ｂは、シート１の中央側に窪んだ横長の凹形をなす。
【００７９】
シート１の背面に装飾部２が形成してあり、該装飾部２上に円形をなす複数の接着部３がシルクスクリーン印刷にて千鳥配置してある。図１１に示すように、接着部３の直径は略１ｍｍであり、接着部３同士の縦間距離及び横間距離は略１ｍｍである。接着部３の厚みは、１５〜２０ミクロンである。シート１の背面側にシート１と略同寸のフィルム４が設けてあり、該フィルム４は接着部３に当接している。
【００８０】
保護体をスマートフォン２０のフラットディスプレイ２１上に配置する場合、図９に示すように、ユーザはフィルム４を剥離した後に、保護体の背面をスマートフォン２０の正面に対向させる。装飾部２の寸法は、スマートフォン２０のフラットディスプレイ２１の周囲にある枠部分と略同寸である。ユーザは、装飾部２及び前記枠部分における縦方向及び横方向の位置が整合するように、位置合わせする。そして保護体をフラットディスプレイ２１上に配置し、装飾部２を押圧して接着部３を前記枠部分に接着させる。
【００８１】
図１０に示すように、装飾部２よりも内側に位置するシート１の中央部分がフラットディスプレイ２１に対向し、ユーザは該中央部分を介してスマートフォン２０のフラットディスプレイ２１を視認することができる。なおフラットディスプレイ２１とシート１の中央部分とは略同寸であり、ユーザはフラットディスプレイ２１全体を視認することができる。また切欠１ａの内側に操作部２２が位置し、ユーザは操作部２２を操作することができる。また切欠１ｂの内側にスピーカ２３が位置し、ユーザはスピーカ２３から放出される音を聴取することができる。
【００８２】
実施の形態１及びその変形例に係る保護体にあっては、シート１の周縁部分に接着部３を多数設けて、該接着部３とフラットディスプレイ１１、２１の周囲とを接着させており、接着部３及び装飾部２によってシート１の中央部分とフラットディスプレイ１１、２１とは適長離隔する。また多数の接着部３は互いに離隔しているので、シート１とフラットディスプレイ１１、２１との間及び接着部３、３、・・・、３の間を空気が通流することができ、気泡は発生しない。そのため、タブレット型端末１０及びスマートフォン２０のフラットディスプレイ１１、２１の視認性及び装飾性は損なわれない。
【００８３】
またユーザはフラットディスプレイ１１、２１の周囲に接着した接着部３を必要に応じて剥離し、容易に保護体を貼付し直すことができる。またシート１の一面における周縁部分に装飾部２を設けることによって、フラットディスプレイ１１、２１の装飾性を向上させることができる。またシート１の一面と接着部３との間に装飾部２が存在するため、シート１の他面側から接着部３は視認されない。
【００８４】
またタブレット型端末１０の操作部１２又はスマートフォン２０の操作部２２及びスピーカ２３に対応する位置に切欠１ａ、１ｂを設けることによって、タブレット型端末１０又はスマートフォン２０のフラットディスプレイ１１、２１上に保護体を配置しても、タブレット型端末１０及びスマートフォン２０の機能は損なわれない。そのためユーザはタブレット型端末１０及びスマートフォン２０を快適に使用でき、且つフラットディスプレイ１１、２１を保護することができる。
【００８５】
また所定角度以下の入射角で進入した光が透過するようにシート１を構成した場合には、ユーザがフラットディスプレイ１１、２１上に保護体を配置することによって、ユーザの隣にいる第三者はフラットディスプレイ１１、２１を視認することができない。そのためユーザの個人情報を保護することができる。
【００８６】
なお実施の形態１においては、装飾部２をシート１に印刷しているが、装飾部２を印刷せずに、シート１の上に直接接着部３を印刷してもよい。また装飾部２はシート１の背面に印刷してあるが、シート１の正面または両面に印刷してもよい。シート１の正面にのみ装飾部２が印刷された場合は、シート１の背面に接着部３が直接印刷される。
【００８７】
また切欠１ａ、１ｂに代えて、操作部１２、２２又はスピーカ２３に対応する大きさの穴をシート１に形成してもよい。穴は、例えば打ち抜き加工によって形成される。接着部３は千鳥配置してあるが、接着部３同士が適長離隔していればよく、規則的に配置されている必要はない。ドット状をなす多数の接着部３を不規則に並べてもよい。保護体は一つずつ製造してもよい。保護体を貼付する対象は、タブレット型端末１０又はスマートフォン２０に限定されない。例えば電子ペーパに貼付してもよく、また湾曲したディスプレイ又は電子ペーパ等に貼付してもよい。
【００８８】
（実施の形態２）
以下本発明を実施の形態２に係る保護体を示す図面に基づいて詳述する。図１２は、保護体を示す略示断面図である。
図１２に示すように、保護体は、透過性を有するシート１を備え、該シート１の背面全体に、凹凸を多数有する粗面５ａを有する粗面部５が設けてある。該粗面部５を構成する主な成分の割合は、イソブチルアルコール２５〜３０重量パーセント、メチルイソブチルケトン２０〜２５重量パーセント、トルエン０．１〜１重量パーセント及び多官能アクリレート３０〜４０重量パーセントである。また助剤が適量含まれる。多官能アクリレートによって、前記粗面５ａが形成されており、粗面５ａは、シート１の反対側に位置する。粗面５ａの凹凸の深さ又は突出幅は、光の波長に比べて長く、例えば１ミクロンである。
【００８９】
シート１がフラットディスプレイ１１、２１上に配置され、ユーザが操作のためにシート１を押圧した場合でも、前記粗面５ａによって、フラットディスプレイ１１、２１とシート１との間に、光の波長よりも充分に大きな隙間が確保され、ニュートンリングの発生を防止することができる。なお粗面部５は粗面５ａが形成されていればよく、前記粗面５ａは多官能アクリレートによって形成される場合に限定されない。例えば多数の微粒子を含む粗面部５をシート１の背面に設けて、該微粒子によって粗面５ａを形成し、フラットディスプレイ１１、２１とシート１との間に光の波長よりも充分に大きな隙間を確保してもよい。
【００９０】
粗面部５の厚みは、３〜５ミクロンである。粗面部５の上に装飾部２が設けてあり、装飾部２の上に接着部３が設けてある。またシート１の背面にフィルム４が設けてあり、フィルム４は接着部３に当接している。フィルム４は、接着部３から剥離することができる。
【００９１】
次に保護体の製造工程について説明する。図１３は保護体の製造工程を示す工程図である。
図１３Ａに示すように、まずシート原反１００を設置する。次に図１３Ｂに示すように、シート原反１００の背面全体に液状の粗面部５を塗布し、硬化させる。硬化した粗面部５は層状をなす。そして図１３Ｃに示すように、粗面部５上にて、フラットディスプレイ１１、２１の周囲にある枠部分に対応する位置に装飾部２が格子状に印刷される。そして図１３Ｄに示すように、接着剤を用いて装飾部２上に複数の接着部３をシルクスクリーン印刷によって千鳥配置し、複数の接着部３によるドットパターンを形成する。装飾部２上に印刷された接着部３は、装飾部２に固着する。
【００９２】
そして図１３Ｅに示すように、シート原反１００の背面にフィルム４を設ける。次に図１３Ｆに示すように、シート原反１００を打ち抜いて、タブレット型端末１０又はスマートフォン２０の縦寸法及び横寸法に対応した寸法を有し、シート１の一面の周縁部分に複数の接着部３を設けた保護体を複数製造する。シート原反１００を打ち抜くときに、切欠１ａ、１ｂも形成される。なお切欠１ａ、１ｂの形成後にシート原反１００を分割してもよく、シート原反１００の分割後に切欠１ａ、１ｂを形成してもよい。
【００９３】
なおシート原反１００の正面に、フラットディスプレイ１１、２１の周囲にある枠部分に対応する位置に装飾部２を印刷してもよく、シート１の正面に装飾部２を印刷してもよい。シート原反１００又はシート１の正面に装飾部２を印刷する工程は、上述した一連の工程において、保護体を製造するのに適した順番にて実行されればよい。例えば一連の工程の最初に実行されてもよいし、最後に実行されてもよい。この場合、粗面部５にドットパターンを印刷する。またシート原反１００の背面に装飾部２を印刷した後に、粗面部５を塗布し、粗面部５にドットパターンを印刷してもよい。
【００９４】
実施の形態２に係る保護体にあっては、シート１の正面に外力が作用し、シート１の背面とフラットディスプレイ１１、２１との間隙が狭まったとしても、粗面部５によって、前記背面とフラットディスプレイとの間に光の波長よりも充分に大きな隙間が確保され、ニュートンリングは発生しない。そのためニュートンリングによってフラットディスプレイ１１、２１の視認性が妨げられることを回避することができる。またフラットディスプレイ１１、２１にシート１の縦寸法及び横寸法を対応させることによって、フラットディスプレイ１１、２１のいずれの部分をユーザが触っても、ニュートンリングは発生しない。ユーザは、フラットディスプレイに表示される映像を確実に視認することができ、且つフラットディスプレイ１１、２１に表示されたＧＵＩを押圧しても、ニュートンリングによる視認性の悪化を招来しない。
【００９５】
なお実施の形態２に係る保護体の構成の内、実施の形態１と同様な構成については同じ符号を付し、その詳細な説明を省略する。
【００９６】
（実施の形態３）
以下本発明を実施の形態３に係る保護体を示す図面に基づいて詳述する。図１４は保護体の製造工程を示す工程図である。
【００９７】
図１４Ｇに示すように、保護体は、シート１の正面全体に設けてあり、油分及び水分等による汚染を防止する透明な汚染防止層６を備える。汚染防止層６は熱硬化型樹脂又は電離放射線硬化型樹脂の一方又は双方からなる。特に硬化後の被膜硬度に優れるので、汚染防止層６は、少なくとも電離放射線硬化型樹脂を含有することが好ましい。電離放射線硬化型樹脂は、光重合性モノマー又は光重合性プレポリマーを単独又は併用する。電離放射線硬化型樹脂は、電離放射線（光）照射により活性ラジカル種を発生させる化合物等（電離放射線（光）重合開始剤）を含有してもよい。
【００９８】
電離放射線硬化型樹脂に含まれる光重合性モノマー（反応性モノマーの一例）として、少なくとも、イソシアヌル酸誘導体を用いる。イソシアヌル酸誘導体は、イソシアヌル酸骨格を有し、当該イソシアヌル酸骨格に重合性反応基とアルキレンオキシド鎖が結合した構造を有する。
【００９９】
汚染防止層６に電離放射線硬化型樹脂を含有させ、反応性モノマーの一例としての光重合性モノマーにイソシアヌル酸誘導体を用いる。電離放射線硬化型樹脂に代えて、又はこれと共に熱硬化型樹脂を含有してもよい。汚染防止層６に熱硬化型樹脂を含有させる場合、熱重合性モノマーやプレポリマーを単独又は併用する。必要に応じて熱重合開始剤、すなわち加熱により活性ラジカル種を発生させる化合物等を含有させる。この場合、熱重合性モノマーとしてイソシアヌル酸誘導体を用いてもよい。
【０１００】
汚染防止層６に指紋が付着した場合、その付着した指紋を目立ち難くするためには、表面に撥水性と撥油性を強く付与するのではなく、適度な親水性と親油性を付与することが有効である。特定のイソシアヌル酸誘導体を用いることで、硬化後の被膜表面に適度な親水性と親油性を発現させることができる。光重合性モノマーに特定のイソシアヌル酸誘導体を含有させて用いることで、硬化後の被膜に適度な親水性と親油性を発現させることができる。表面に対する指紋成分（水性成分及び油性成分）の接触度合いが小さくなり過ぎないので、指紋成分は表面で適度に濡れ広がる。その結果、硬化後の表面に指紋が付着した場合でも、付着した指紋は目立ち難くなる。また硬化後の汚染防止層６の硬度低下も防止することができる。指紋を目立ち難くすること及び硬度低下防止の各性能がバランスよく両立する。
【０１０１】
イソシアヌル酸誘導体のイソシアヌル酸骨格に結合する重合性反応基の種類は、特に限定されない。例えば、アクリロイル基、メタクリロイル基、ビニル基、エポキシ基等が挙げられる。これらの中でも、特にアクリロイル基やメタクリロイル基が好ましい。
【０１０２】
イソシアヌル酸誘導体のイソシアヌル酸骨格に結合する重合性反応基の数は、特に限定されないが、２つ以上であることが好ましい。イソシアヌル酸骨格の窒素原子に結合する重合性反応基を少なくとも２つ有することで、架橋密度が高まる。イソシアヌル酸誘導体を含有した場合、硬度が低下する場合がある。架橋密度を高めることによって、硬度低下を防止することができる。
【０１０３】
イソシアヌル酸誘導体のイソシアヌル酸骨格には、アルキレンオキシドが結合している。これにより、硬化後の被膜に適度な親水性を発現させることができ、指紋を拭き取り易くなる。特にエチレンオキシド（ＥＯ）が好ましい。ＥＯの含有によって、プロピレンオキシド（ＰＯ）、ブチレンオキシド（ＢＯ）などを含有した場合と比較して、汚染防止層６に適度な親水性を発現させることが容易になる。
【０１０４】
イソシアヌル酸誘導体のイソシアヌル酸骨格には、閉じた環構造（シクロ環）から誘導される単位が結合してもよい。環構造は、例えばラクトン、ラクタム、シクロオレフィン（例えばシクロペンテン、シクロヘキセンなど）、テトラヒドロフラン、ジオキサン、シラシクロペンテン、シクロデカン、イソボルニルである。ラクトンから誘導される単位は例えば（−ＣＯ−Ｏ−（ＣＨ2 ）n ）であり、ラクタムから誘導される単位は例えば（−ＮＨ−Ｏ−（ＣＨ2 ）n ）である。
【０１０５】
ラクトンは特に限定されないが、カプロラクトンが好ましい。カプロラクトンは特に限定されない。例えばε−カプロラクトン、δ−カプロラクトン、γ−カプロラクトンである。ε−カプロラクトンが好ましい。カプロラクトン以外のラクトンでもよい。例えばδ−バレロラクトン、γ−ブチロラクトン、γ−バレロラクトン、β−プロピオラクトン等である。分子中にラクトンやラクタムなどから誘導される単位を有することで、汚染防止層６に適度な親油性を発現させることができ、指紋が視認し難くなる。
【０１０６】
イソシアヌル酸誘導体の分子量は、２００以上５０００以下であることが好ましい。分子量の値が大きく過ぎる場合、汚染防止層６の硬度が低下する可能性がある。分子量の値が小さ過ぎる場合、汚染防止層６に適度な親水性や親油性を発現させ難くなる。なお、分子量の値は、テトラヒドロフランなど移動相溶媒を用いたポリスチレン換算の重量平均分子量として求める。
【０１０７】
イソシアヌル酸誘導体のグリフィン法によるＨＬＢ（Ｈｙｄｒｏｐｈｉｌｅ−Ｌｉｐｏｐｈｉｌｅ−Ｂａｌａｎｃｅ）値は、好ましくは１０以上１８以下、より好ましくは１２を超え１５以下である。なおＨＬＢ値は次の計算式で算出される。
【０１０８】
［数１］ＨＬＢ値＝２０×親水部の式量の総和／分子量ＨＬＢ値は、イソシアヌル酸誘導体の特性を示す重要な指数であり、親水性又は親油性の大きさの程度を示す値である。一般にＨＬＢ値は０から２０までの値を取り、０に近いほど親油性が高く、２０に近いほど親水性が高い。
【０１０９】
ＨＬＢ値を所定範囲に制御したイソシアヌル酸誘導体を用いるので、硬化後の被膜の親水性が適度に向上する。その結果、汚染防止層６の表面特性は後述の範囲に制御しやすくすることができる。指紋は汗を含むため、水分の付着性や濡れ性も耐指紋性を左右する重要な要因である。汚染防止層６の表面にて指紋を濡れ広げることによって、指紋による汚れが目立たなくなる効果を発現させるには、硬化後の被膜の表面は適度な親水性を有することが望ましい。
【０１１０】
イソシアヌル酸誘導体のＨＬＢ値が小さ過ぎる場合、硬化後の被膜に適度な親水性が発現しない可能性がある。ＨＬＢ値が大き過ぎる場合、親水性が強くなり過ぎ、指紋の拭き取り性が低下する。
【０１１１】
次に保護体の製造工程について説明する。図１４Ａに示すように、まずシート原反１００を設置する。次に図１４Ｂに示すように、シート原反１００の正面全体に、液状の汚染防止材を塗布し、硬化させる。硬化した汚染防止材は汚染防止層６となる。その後実施の形態１又は２と同様に、シート原反１００の背面に粗面部５、装飾部２、接着部３及びフィルム４を順に設ける。そしてシート原反１００を打ち抜いて、シート１の一面の周縁部分に複数の接着部３を設けた保護体を複数製造する（図１４Ｃ〜図１４Ｇ）。
【０１１２】
シート１の正面に汚染防止層６を形成したので、シート１正面への油分等の付着を防止することができる。ユーザがシート１正面を指で触れた場合でも、油分及び水分等による指紋が発生し難い。ユーザがタッチパネル操作のためにシート１に触れても、フラットディスプレイ１１、２１の視認性を維持することができる。また意匠性及び清潔感を保つことができる。
【０１１３】
保護体の透過性、ニュートンリング防止機能及び強度を考慮すると、シート１表面の鉛筆硬度はＨ〜６Ｈ（ＪＩＳ規格７１０５）、保護体の透過率は８０〜９５％（ＪＩＳ規格７１０５）、保護体のヘイズ（曇り度）は１．６〜８．５％（ＪＩＳ規格Ｋ５６００）に設定するのが好ましい。例えば鉛筆硬度を３Ｈ、透過率を９１％及びヘイズを６．５％に設定する。これにより、透過性、ニュートンリング防止機能及び強度の各機能が損なわれず、バランスよく発揮され、視認性の維持及び向上を図ることができる。
【０１１４】
汚染防止層６はフッ素系樹脂で構成してもよい。例えばＰＴＦＥ(ポリテトラフルオロエチレン)、ＰＦＡ(テトラフルオロエチレン・パーフルオロアルキルビニルエーテル共重合体)、ＦＥＰ(テトラフルオロエチレン・ヘキサフルオロプロピレン共重合体)、ＥＴＦＥ(テトラフルオロエチレン・エチレン共重合体)、ＰＶＤＦ(ポリビニリデンフルオライド)、ＰＣＴＦＥ(ポリクロロトリフルオロエチレン)及びＥＣＴＦＥ(クロロトリフルオエチレン・エチレン共重合体)等のフッ素樹脂で構成してもよい。
【０１１５】
次に実施の形態３の変形例について説明する。変形例に係る汚染防止層６には、銀等の金属とゼオライト、シリカゲル及びアパタイト等と担持した無機系抗菌剤が混入してある。また酸化亜鉛、三酸化タングステン、酸化セリウム及び酸化チタン等の金属酸化物又はフタロアニンを含む光触媒（消臭活性物質）が混入してある。無機系抗菌剤及び光触媒によって、抗菌及び消臭を実現することができる。光触媒には、構造安定性及び光触媒能の観点から酸化チタンが好ましい。
【０１１６】
汚染防止層６は無機系抗菌剤又は光触媒を含むので、抗菌性及び消臭性に優れ、保護体を清潔に保つことができる。そのためユーザの衛生向上を図ることができる。
【０１１７】
なお実施の形態３に係る保護体の構成の内、実施の形態１又は２と同様な構成については同じ符号を付し、その詳細な説明を省略する。
【０１１８】
（実施の形態４）
以下本発明を実施の形態４に係る保護体を示す図面に基づいて詳述する。図１５は保護体の製造工程を示す工程図である。
【０１１９】
図１５Ｇに示すように、保護体は、シート１の正面全体に設けてあり、傷を修復する透明な自己修復層７を備える。該自己修復層７は、弾性係数の高い架橋型ポリウレタン系樹脂からなる。例えば脂肪族又は環状脂肪族におけるジイソシアネート又はポリイソシアネートのビューレット型ウレタン、並びにイソシアネートから得られたポリウレタン等の架橋型ポリウレタン系樹脂からなる。物体が自己修復層７を引っ掻いた場合、表面に傷が生じたように視認される。傷が生じたように視認される部分は、弾性によって窪んでいるが、破壊されていない。窪んだ部分は、弾性復元力によって経時的に回復し、傷は消滅する。
【０１２０】
次に保護体の製造工程について説明する。図１５Ａに示すように、まずシート原反１００を設置する。次に図１５Ｂに示すように、シート原反１００の正面全体に、液状の架橋型ポリウレタン系樹脂材を塗布し、硬化させる。硬化した樹脂材は自己修復層７となる。その後実施の形態１又は２と同様に、シート原反１００の背面に粗面部５、装飾部２、接着部３及びフィルム４を順に設ける。そしてシート原反１００を打ち抜いて、シート１の一面の周縁部分に複数の接着部３を設けた保護体を複数製造する（図１５Ｃ〜図１５Ｇ）。
【０１２１】
シート１の正面に、弾性係数の高い架橋型ポリウレタン系樹脂からなる自己修復層７を形成したので、シート１正面を物体が引っ掻いて傷が発生した場合でも、経時的に傷は消滅する。そのためフラットディスプレイ１１、２１の視認性が傷によって阻害されることを防止することができる。
【０１２２】
なお自己修復層７は無機系抗菌剤又は光触媒を備えてもよい。この場合、自己修復層７は抗菌性及び消臭性に優れ、保護体を清潔に保つことができる。
【０１２３】
なお実施の形態４に係る保護体の構成の内、実施の形態１〜３と同様な構成については同じ符号を付し、その詳細な説明を省略する。
【０１２４】
（実施の形態５）
以下本発明を実施の形態５に係る保護体を示す図面に基づいて詳述する。図１６は保護体の製造工程を示す工程図である。
【０１２５】
図１６Ｇに示すように、シート１の背面において、粗面部５と装飾部２との間に、蓄光性材料を有する透明な蓄光層８が設けてある。蓄光層８の寸法は装飾部２に対応しており、蓄光層８は装飾部２上に位置する。蓄光性材料は、例えば蓄光性顔料と賦活材との組合せである。蓄光性顔料は、例えば硫化亜鉛又はアルミン酸ストロンチウムである。賦活剤は、例えば２価のユーロピウムイオン(Ｅｕ2+)、３価のジスプロシウムイオン(Ｄｙ3+)又はネオジムイオン(Ｎｄ3+)等の金属イオンである。蓄光性顔料と賦活材との組合せは、２００〜４５０ｎｍ程度の波長領域の光によって励起し、４５０〜６００ｎｍ程度の波長領域（紫青色〜淡黄緑色）の蛍光を発する。
【０１２６】
次に保護体の製造工程について説明する。図１６Ａに示すように、まずシート原反１００を設置する。次に図１６Ｂに示すように、シート原反１００の背面全体に液状の粗面部５を塗布し、硬化させる。硬化した粗面部５は層状をなす。そして図１６Ｃに示すように、粗面部５上にて、フラットディスプレイ１１、２１の周囲にある枠部分に対応する位置に、蓄光性材料を混入した液状の樹脂を塗布し、硬化させる。硬化した樹脂は蓄光層８となる。次に図１６Ｄに示すように、蓄光層８上に装飾部２が格子状に印刷される。そして接着部３及びフィルム４を順に設け、シート原反１００を打ち抜いて、シート１の一面の周縁部分に複数の接着部３を設けた保護体を複数製造する（図１６Ｄ〜図１６Ｇ）。
【０１２７】
蓄光層８を装飾部２に設けたので、保護体が明るい場所から暗い場所に移動した場合、保護体は蛍光を発する。そのため保護体を付したタブレット型端末１０及びスマートフォン２０が明るい場所から暗い場所に移動した場合、ユーザはタブレット型端末１０及びスマートフォン２０の位置を容易に確認することができる。またタブレット型端末１０及びスマートフォン２０の意匠性を向上させることができる。
【０１２８】
なお蓄光層８はシート１の正面に設けてもよい。
シート１の正面全体に汚染防止層６又は自己修復層７を設けてもよく、これらの層に無機系抗菌剤又は光触媒を混入してもよい。シート１の正面に汚染防止層６又は自己修復層７を設ける場合、これらの層の正面又は背面に蓄光層８を設けてもよい。
【０１２９】
なお実施の形態５に係る保護体の構成の内、実施の形態１〜４と同様な構成については同じ符号を付し、その詳細な説明を省略する。
【０１３０】
（実施の形態６）
以下本発明を実施の形態６に係る保護体を示す図面に基づいて詳述する。図１７は保護体の製造工程を示す工程図である。
【０１３１】
図１７Ｇに示すように、シート１の背面にハーフミラー層９が設けてある。該ハーフミラー層９は、例えば薄い金属膜（銀、アルミニウム等）を蒸着した金属ハーフミラー又は高屈折率膜と低屈折率膜とを交互に積層した誘電体ハーフミラーである。高屈折率膜と低屈折率膜との組合せは、例えばＴｉＯ2 膜とＳｉＯ2 膜との組合せである。金属ハーフミラー又は誘電体ハーフミラーは、ＥＢ(Electron Beam)蒸着法又はスパッタリング法等によって形成される。ハーフミラー層９は、背面側からの光を透過し、正面側からの光を反射する。
【０１３２】
次に保護体の製造工程について説明する。図１７Ａに示すように、まずシート原反１００を設置する。次に図１７Ｂに示すように、ハーフミラー層９を形成する。その後ハーフミラー層９の背面に、粗面部５、装飾部２、接着部３及びフィルム４を順に設ける。そしてシート原反１００を打ち抜いて、シート１の一面の周縁部分に複数の接着部３を設けた保護体を複数製造する（図１７Ｃ〜図１７Ｇ）。
【０１３３】
ハーフミラー層９は背面側からの光を透過するので、保護体を付したフラットディスプレイ１１、２１が点灯している場合、フラットディスプレイ１１、２１に表示された画像をユーザは視認することができる。フラットディスプレイ１１、２１が消灯している場合、ハーフミラー層９は正面側からの光を反射するので、保護体を付したフラットディスプレイ１１、２１をユーザは鏡として使用することができる。
【０１３４】
なおハーフミラー層９はシート１の正面全体に設けてもよい。またハーフミラー層９はシート１の特定部分に形成してもよい。例えばシート１の中央部分に形成してもよい。
シート１の正面全体に汚染防止層６又は自己修復層７を設けてもよく、これらの層に無機系抗菌剤又は光触媒を混入してもよい。シート１の正面に汚染防止層６又は自己修復層７を設ける場合、これらの層の背面全体にハーフミラー層９を設けてもよい。
【０１３５】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【０１３６】
１  シート
１ａ、１ｂ  切欠
２  装飾部
３  接着部
４  フィルム
５  粗面部
５ａ  粗面
６  汚染防止層
７  自己修復層
８  蓄光層
９  ハーフミラー層
１０  タブレット型端末
１１、２１  フラットディスプレイ
１２、２２  操作部
２０  スマートフォン
２３  スピーカ
【図１】
0005372084.tif 000002
【図２】
0005372084.tif 000003
【図３】
0005372084.tif 000004
【図４】
0005372084.tif 000005
【図５】
0005372084.tif 000006
【図６】
0005372084.tif 000007
【図７】
0005372084.tif 000008
【図８】
0005372084.tif 000009
【図９】
0005372084.tif 000010
【図１０】
0005372084.tif 000011
【図１１】
0005372084.tif 000012
【図１２】
0005372084.tif 000013
【図１３】
0005372084.tif 000014
【図１４】
0005372084.tif 000015
【図１５】
0005372084.tif 000016
【図１６】
0005372084.tif 000017
【図１７】
0005372084.tif 000018